(57)【要約】【課題】  強磁性体によって形成された取付け対象物に対し、取付け目的物を磁石によって着脱可能に取り付けるための磁着式取付け具に関し、該取付け目的物の該取付け対象物に対する位置や角度を簡便に調節するとともに、使用者が該取付け対象物から該取付け目的物を取り外すことを所望する際はこれを容易に取り外すことができる磁着式取付け具を提供する。【解決手段】  磁着式取付け具１は、これを取付け対象物Ａに対して磁着させるための磁着部２と、これに取付け目的物Ｂを設置するための取付け目的物設置部３と、取付け目的物設置部３の磁着部２に対する角度を調節するための角度調節機構４と、取付け対象物Ａから磁着式取付け具１を取り外すための取り外し機構５を備えている。磁着部２と取付け目的物設置部３とは角度調節機構４によって連結されている。取り外し機構５は取付け押し離し部材５ａを備えている。【選択図】      図７
0003232518.tif 000002
【実用新案登録請求の範囲】
【請求項１】
強磁性体によって形成された取付け対象物に対し、取付け目的物を磁石によって着脱可能に取り付けるための磁着式取付け具であって、磁着部と、取付け目的物設置部と、角度調節機構とを備えており、該磁着部は該磁着式取付け具を該取付け対象物に対して磁着させる箇所であり、該取付け目的物設置部は該磁着式取付け具に該取付け目的物を設置する箇所であり、該角度調節機構は該取付け目的物設置部の該磁着部に対する角度を調節するための回動機構であって、該磁着部と取付け該目的物設置部とは該角度調節機構によって連結されていることを特徴とする磁着式取付け具。
【請求項２】
請求項１に記載した磁着式取付け具であって、前記角度調節機構にその回動を抑止する回動抑止機構を備えていることを特徴とする磁着式取付け具。
【請求項３】
請求項１又は２に記載した磁着式取付け具であって、前記取付け対象物から該磁着式取付け具を取り外すための取り外し機構が備えられており、該取り外し機構は押し離し部材を備えており、該押し離し部材は該取付け対象物に押し当てられることにより、前記磁着部と該取付け対象物との間に間隙を生じさせて、該磁着式取付け具を該取付け対象物から押し離す部材であることを特徴とする磁着式取付け具。
【請求項４】
請求項１から３までの何れかに記載した磁着式取付け具を備えた計測具であって、前記取付け目的物が計測具であることを特徴とする磁着式取付け具を備えた計測具。
【請求項５】
請求項４に記載した磁着式取付け具を備えた計測具であって、前記計測具がプリズムポール及び／又は水準器であることを特徴とする磁着式取付け具を備えた計測具。
【考案の詳細な説明】
【技術分野】
【０００１】
本願考案は、鉄、ニッケル、コバルトといった強磁性体によって形成された取付け対象物に対し、計測具等の各種の機器といった取付け目的物を磁石によって着脱可能に取り付けるための磁着式取付け具、及びこれを備えた計測具に関する。
【背景技術】
【０００２】
本願考案に係る磁着式取付け具は、強磁性体によって形成された取付け対象物に取付け目的物を磁石によって取り付けるために幅広く用いることができるが、本願では特にブルドーザーやパワーショベルといった各種の工事用車両にプリズムポール（位置測定用ポール）や水準器といった各種の計測具を取り付ける場合を例にして説明する。
【０００３】
例えば、ブルドーザーを用いて水平に整地をしようとする場合、ブルドーザーに備えられている可動排土板（ブレード）等にプリズムポールを取り付け、基準点に設置された測量機によって該プリズムポールのプリズムを追跡し、該プリズムの位置を測定して該ブルドーザーの可動排土板の高さや角度などを調節しながら、土砂を均していくといったことが行われている。このような手法によれば、水平性を正確に保ちながら整地することができるため好適である。
【０００４】
従来、レーザー式の測量方法で一般的に用いられている回転式レーザーレベルの受光器をブルドーザーに取り付けるための手段としては、ブルドーザーに該受光器を設置するためのポールを溶接したり万力を用いたりしていたところである。しかしながら、ブルドーザーにこのような計測具やこれを設置するための計測具設置用部材を溶接してしまうと、容易にこれを取り外せなくなってしまうため、その計測具等を同じブルドーザーの別の場所に取り付け直したり、あるいはそれを別のブルドーザー等に取り付けたりしようとしても、それが困難になってしまう。また、ブルドーザーに計測具ないし計測具設置用部材を溶接するということは、ブルドーザーを損傷させることにもなるため、自らが所有するブルドーザーであればともかく、賃借したブルドーザー等にはこのような手法で計測具ないし計測具設置用部材を取り付けることができないという問題がある。そして、ブルドーザーは稼働時に振動を生じたり衝撃を受けたりすることがあるため、万力を用いて計測具ないし計測具設置用部材を取り付けても、ブルドーザーを稼働させるとその振動や衝撃等のためこれが簡単に外れてしまうことがあった。
【０００５】
そこで、位置測定用のポールを作業車に着脱自在に取り付けるための取付用治具であって、該ポールが取り付けられるポール取付部と、該取付部を支持する支持部と、該支持部を該作業車に着脱自在に取り付けるための取付用磁石とを備える取付用治具が提案されている（例えば、下記の特許文献１を参照。）。
【先行技術文献】
【特許文献】
【０００６】
【特許文献１】特開２０１９−８５７５０号公報
【考案の概要】
【考案が解決しようとする課題】
【０００７】
上記のような従来技術に係る磁着式取付け具によれば、前記の計測具ないし計測具設置用部材を溶接する場合のように、ブルドーザーを損傷させることなく、計測具ないし計測具設置用部材を取り付けることができ、また、一旦ブルドーザーに取り付けた計測具ないし計測具設置用部材を取り外して、同じブルドーザーの別の場所に取り付け直したり、あるいはそれを別のブルドーザー等に取り付けたりすることもできる。更に、ネオジム磁石といった強い磁力を備える磁石を用いれば、ブルドーザーが稼働時に振動を生じたり衝撃を受けたりしても、使用者の意図することなく簡単にブルドーザーから計測具ないし計測具設置用部材が外れてしまうといったことも防止できると考えられる。
【０００８】
ここで、ブルドーザーにプリズムポールを取り付けた位置や角度によっては、前記測量機で該プリズムポールのプリズムを追跡することが困難な場合があるため、一旦ブルドーザーに取り付けたプリズムポールの位置や角度を調節しなければならない場合がある。しかしながら、前記の従来技術に係る磁着式取付け具では、ブルドーザーに取り付けたプリズムポールの位置や角度を調節する際は、一旦これをブルドーザーから取り外し、再度これをブルドーザーに取り付けなければならず、煩雑であった。そこで、本願考案の解決しようとする第１の課題は、強磁性体によって形成された取付け対象物に対し、取付け目的物を磁石によって着脱可能に取り付けるための磁着式取付け具に関し、該取付け目的物の該取付け対象物に対する位置や角度を簡便に調節することができる磁着式取付け具を提供することにある。
【０００９】
また、前記の従来技術に係る磁着式取付け具では、強い磁力を備える磁石を用いれば簡単に外れにくくはなるものの、使用者が取り外すことを所望するときも外れにくくなってしまうという問題があった。例えば、同じブルドーザーの別の場所にそれを取り付け直そうとしたり、あるいは別のブルドーザーなどに取り付けたりすべく、使用者がブルドーザーに取り付けたプリズムポールを取り外そうとしても、該磁着式取付け具が該ブルドーザーに強力に磁着していると、それが困難になってしまうのである。そこで、本願考案の解決しようとする第２の課題は、強磁性体によって形成された取付け対象物に対し、取付け目的物を磁石によって着脱可能に取り付けるための磁着式取付け具に関し、使用者が該取付け対象物から該取付け目的物を取り外すことを所望する際はこれを容易に取り外すことができる磁着式取付け具を提供することにある。
【課題を解決するための手段】
【００１０】
本願考案は、上記の各課題を解決するために提案されたものであり、以下の構成を有するものである。以下では、本願考案の構成を理解するのを補助するため、本願に添付した図面に表示した番号及び符号をあわせて記載する。
【００１１】
請求項１に係る磁着式取付け具（１）は、強磁性体によって形成された取付け対象物（Ａ）に対し、取付け目的物（Ｂ）を磁石によって着脱可能に取り付けるための磁着式取付け具であって、磁着部（２）と、取付け目的物設置部（３）と、角度調節機構（４）とを備えている。磁着部（２）は、磁着式取付け具（１）を取付け対象物（Ａ）に対して磁着させる箇所である。取付け目的物設置部（３）は磁着式取付け具（１）に取付け目的物（Ｂ）を設置する箇所である。角度調節機構（４）は、取付け目的物設置部（３）の磁着部（２）に対する角度を調節するための回動機構であって、磁着部（２）と取付け目的物設置部（３）とは角度調節機構（４）によって連結されている。
【００１２】
請求項２に係る磁着式取付け具（１）は、請求項１に記載した磁着式取付け具であって、角度調節機構（４）にその回動を抑止する回動抑止機構（４ａ）を備えている。
【００１３】
請求項３に係る磁着式取付け具（１）は、請求項１又は２に記載した磁着式取付け具であって、取付け対象物（Ａ）から磁着式取付け具（１）を取り外すための取り外し機構（５）が備えられており、取り外し機構（５）は押し離し部材（５ａ）を備えており、押し離し部材（５ａ）は取付け対象物（Ａ）に押し当てられることにより、磁着部（２）と取付け対象物（Ａ）との間に間隙を生じさせて、磁着式取付け具（１）を取付け対象物（Ａ）から押し離す部材である。
【００１４】
請求項４に係る磁着式取付け具を備えた計測具は、請求項１から３までの何れかに記載した磁着式取付け具（１）を備えた計測具であって、取付け目的物（Ｂ）が計測具である。
【００１５】
請求項５に係る磁着式取付け具を備えた計測具は、請求項４に記載した磁着式取付け具を備えた計測具であって、計測具がプリズムポール（Ｂ１）及び／又は水準器（Ｂ２）である。
【考案の効果】
【００１６】
本願考案に係る磁着式取付け具（１）は、上記の通りの構成であるから、以下のような効果を奏することができる。
【００１７】
まず、請求項１に係る磁着式取付け具（１）は、磁着部（２）と取付け目的物設置部（３）とが角度調節機構（４）によって連結されているため、これを回動させることにより、取付け対象物（Ａ）に取り付いている磁着式取付け具（１）を取り外すことなく、取付け対象物（Ａ）に対する位置や角度を調節することができる。例えば、磁着式取付け具（１）を用いてブルドーザーに取り付けたプリズムポールの位置や角度を調節する場合、一旦これをブルドーザーから取り外し、再度これをブルドーザーに取り付け直すことなく、ブルドーザーに取り付けたままで角度調節機構（４）を調節することにより、プリズムポールの位置や角度を調節することができるのである。従って、本願考案に係る磁着式取付け具は、強磁性体によって形成された取付け対象物に対し、取付け目的物を磁石によって着脱自在に取り付けるための磁着式取付け具に関し、該取付け目的物の該取付け対象物に対する位置や角度を簡便に調節することができる磁着式取付け具を提供するという本願考案が解決しようとする第１の課題を解決することができる。
【００１８】
ここで、請求項１に係る磁着式取付け具（１）は、取付け目的物設置部（３）に設置した取付け目的物（Ｂ）の重量等のため、角度調節機構（４）が使用者の意図することなく回動してしまうおそれがある。そこで、請求項２に係る磁着式取付け具（１）は、角度調節機構（４）にその回動を抑止する角度抑止機構（４ａ）を備えているため、そのようなおそれを低減することができ、好適である。
【００１９】
また、請求項３に係る磁着式取付け具（１）は、磁着部（２）に強い磁力を備える磁石を用いることにより、これが取付け対象物（Ａ）から使用者の意図することなく簡単に外れにくくした場合であっても、使用者が取付け対象物（Ａ）に押し離し部材（５ａ）を押し当てることにより、磁着部（２）と取付け対象物（Ａ）との間に間隙を生じさせて、使用者が取り外すことを所望する際は容易に取り外すことができるようになっている。そうすると、請求項１に係る磁着式取付け具（１）は、例えば、同じブルドーザーの別の場所に取り付け直したりあるいは別のブルドーザー等に取り付けたりすべく、使用者がブルドーザーに取り付けたプリズムポールを取り外すことも容易に行うことができる。従って、本願考案に係る磁着式取付け具は、強磁性体によって形成された取付け対象物に対し、取付け目的物を磁石によって着脱自在に取り付けるための磁着式取付け具に関し、使用者が該取付け対象物から該取付け目的物を取り外すことを所望する際はこれを容易に取り外すことができる磁着式取付け具を提供するという本願考案が解決しようとする第２の課題を解決することができる。
【００２０】
本願考案は、使用者が意図しない場合は外れにくく、使用者が取り外すことを意図する場合は容易に取り外せるようにする必要がある場合、例えば、ブルドーザー（Ａ１）やパワーショベル（Ａ２）といった各種の工事用車両にプリズムポール（Ｂ１）や水準器（Ｂ２）といった各種の計測具を着脱可能に取り付けるような場合に、特に好適である。
【００２１】
もちろん、前記のような構成を備える磁着式取付け具（１）によれば、取付け対象物（Ａ）を損傷させることなく取付け目的物（Ｂ）を着脱することができ、磁着部（２）に磁力の強い磁石を用いれば使用者の意図することなく磁着式取付け具（１）が取付け対象物（Ａ）から外れてしまうのを防止することができる。このような磁着式取付け具（１）によれば、例えば、ブルドーザーに計測具ないし計測具設置用部材を溶接する場合のようにブルドーザーを損傷させることなく、プリズムポールをブルドーザーに取り付けることができる。また、一旦ブルドーザーに取り付けたプリズムポールを取り外して、同じブルドーザーの別の場所に取り付けたり、あるいはそれを別のブルドーザーなどに取り付けたりすることができる。更に、強い磁力を備える磁石を用いることにより、使用者の意図することなく、磁着式取付け具が簡単にブルドーザーから外れてしまうといったことも防止できる。
【図面の簡単な説明】
【００２２】
【図１】本願考案の一実施形態に係る磁石式取付具を示した一部断面図である。
【図２】本願考案の一実施形態に係る磁石式取付具を用いて取付け目的物を取付け対象物に取り付けた状態を示した作用効果説明図である。
【図３】本願考案の一実施形態に係る磁石式取付具を用いてプリズムポールをブルドーザーに取り付けた状態を示した使用状態説明図である。
【図４】本願考案の一実施形態に係る磁石式取付具を用いて取付け目的物の位置や角度を調節する状態を示した作用効果説明図である。
【図５】本願考案の一実施形態に係る磁石式取付具を用いて取付け目的物の位置や角度を調節する状態を示した作用効果説明図である。
【図６】本願考案の一実施形態に係る磁石式取付具を取付け対象物から取り外す状態を示した作用効果説明図である。
【図７】本願考案の一実施形態に係る磁石式取付具を用いて図２とは異なる取付け目的物を図２とは異なる取付け対象物に取り付けた状態を示した作用効果説明図である。
【図８】本願考案の一実施形態に係る磁石式取付具を用いてプリズムポール及び水準器をパワーショベルに取り付けた状態を示した使用状態説明図である。
【考案を実施するための形態】
【００２３】
以下に、本願考案の一実施形態に係る磁着式取付け具（１）の構造について添付図面に基づいて説明する。
【００２４】
本願考案の一実施形態に係る磁着式取付け具（１）は、図１に図示するように、強磁性体によって形成された取付け対象物（Ａ）に対し、取付け目的物（Ｂ）を磁石によって着脱可能に取り付けるための磁着式取付け具であって、磁着部（２）と、取付け目的物設置部（３）と、角度調節機構（４）と、取り外し機構（５）とを備えている。尚、磁着式取付け具（１）は、工事用車両に磁着させる際は、簡単に損壊することがないように、金属等で形成するのが好適である。
【００２５】
磁着部（２）は、図１に図示するように、磁着式取付け具（１）を取付け対象物（Ａ）に対し磁着させるための箇所であって、具体的には磁石（２ａ）と磁石収納体（２ｂ）とから構成されている。磁石（２ａ）には各種の磁石を用いることができるが、ネオジム磁石といった強い磁力を備える磁石を用いることにより、使用者の意図することなく、簡単に取付け対象物（Ａ）から磁着式取付け具（１）が外れてしまうといったことを防止できる。磁石収納体（２ｂ）は、磁石（２ａ）の磁着面を露出させるための開口部を有する箱状の部材であって、その内部に磁石（２ａ）が収納されている。
【００２６】
取付け目的物設置部（３）は、図１に図示するように、磁着式取付け具（１）に取付け目的物（Ｂ）を設置するための箇所であって、具体的には挿入部（３ａ）と回動板（３ｂ）とから構成されている。挿入部（３ａ）は、取付け目的物（Ｂ）に設けられた受容部と嵌合させるための箇所であって、受容部に雌ねじが切られている場合は挿入部（３ｂ）に雄ねじを切るようにするとよい。回動板（３ｂ）は、平板状の部材であって、その一端が角度調節機構（４）に取り付けられている。尚、回動板（３ｂ）の角度調節機構（４）側は、その回動を阻害しないように、丸みを帯びた形状に形成するのが好適である。
【００２７】
角度調節機構（４）は、図１に図示するように、取付け目的物設置部（３）の磁着部（２）に対する角度を調節するための回動機構であって、磁着部（２）と取付け目的物設置部（３）とは角度調節機構（４）によって連結されている。角度調節機構（４）は、具体的にはヒンジ機構であって、回動板（３ｂ）における磁着部（２）側の端部を回動軸に軸支させて、これが回動するように構成されている。図では、取付け目的物（Ｂ）が磁着面に対向する方向に回動するように回動板（３ａ）の一端が軸支されているが、特にこのような態様で軸支することには限定されない。
【００２８】
角度調節機構（４）は、その回動を抑止する回動抑止機構（４ａ）を備えている。具体的には、角度調節機構（４）は、回動軸に回動抑止部材を押し当てることにより、その回動を抑止するものである。
【００２９】
取り外し機構（５）は、図１に図示するように、取付け対象物（Ａ）から磁着式取付け具（１）を取り外すための箇所であって、押し離し部材（５ａ）を備えている。押し離し部材（５ａ）は、取付け対象物（Ａ）に押し当てられることにより、磁着部（２）と取付け対象物（Ａ）との間に間隙を生じさせて、磁着式取付け具（１）を取付け対象物（Ａ）から押し離すための部材である。具体的には、取り外し機構（５）は、押し離し部材（５ａ）であるボルト部材と、これを挿通するための雌ねじが切られている挿通孔（５ｂ）を穿設した平板状の部材とから構成されている。図では、取り外し機構（５）は、磁着部（２）に連接して設けられているが、角度調節機構（４）に連接して設けてもよく、押し離し部材（５ａ）を取付け対象物（Ａ）に押し当てることができるのであれば、その位置は特に限定されない。
【００３０】
以上が、本願考案の一実施形態に係る磁着式取付け具（１）の構造についての説明である。以下に、本願考案の一実施形態に係る磁着式取付け具（１）の使用態様について添付図面に基づいて説明する。本願考案に係る磁着式取付け具（１）は、強磁性体によって形成された取付け対象物（Ａ）に取付け目的物（Ｂ）を磁石によって取り付けるために幅広く用いることができるが、本願では特に取付け対象物（Ａ）がブルドーザー（Ａ１）やパワーショベル（Ａ２）であって、取付け目的物（Ｂ）がプリズムポール（Ｂ１）や水準器（Ｂ２）である場合を例にして説明する。
【００３１】
はじめに、ブルドーザー（Ａ１）を用いて水平に整地すべく、ブルドーザーの可動排土板にプリズムポール（Ｂ１）を取り付ける場合、使用者は、まず、図２に図示するように、プリズムポール（Ｂ１）の下部にある雌ねじが切られている受容部を雄ねじが切られている挿入部（３ｂ）に螺着させて、磁着式取付け具（１）にプリズムポール（Ｂ１）を設置する。次に、使用者は、図２及び３に図示するように、磁石（２ａ）をブルドーザー（Ａ１）の可動排土板に磁着させ、プリズムポール（Ｂ１）をブルドーザー（Ａ１）に対して取り付ける。磁着式取付け具（１）によれば、ブルドーザー（Ａ１）に計測具ないし計測具設置用部材を溶接する場合のように、ブルドーザー（Ａ１）を損傷させることなく、プリズムポール（Ｂ１）をブルドーザー（Ａ１）に取り付けることができる。
【００３２】
ここで、磁着式取付け具（１）は、磁着部（２）と取付け目的物設置部（３）とが角度調節機構（４）によって連結されているため、使用者は、図４に図示するように、磁着面に対向する方向にプリズムポール（Ｂ１）を回動させることにより、ブルドーザー（Ａ１）に対するプリズムポール（Ｂ１）の位置や角度を調節することができる。
【００３３】
磁着式取付け具（１）は、取付け目的物設置部（３）に設置した取付け目的物（Ｂ）の重量等のため、角度調節機構（４）が使用者の意図することなく回動してしまうおそれがある。そこで、使用者はレバーを操作して、回動軸に回動抑止部材を押し当てることにより、その回動を抑止するのである。そうすると、磁着式取付け具（１）は、角度抑止機構（４ａ）を備えることにより、角度調節機構（４）が使用者の意図することなく回動してしまうおそれを低減することができ、好適である。もちろん、ブルドーザー（Ａ１）に対するプリズムポール（Ｂ１）の位置や角度を再度調節する際は、使用者はレバーを再度操作して、回動軸から回動抑止部材を引き離すことにより、再度その回動ができるようにすればよい。
【００３４】
更に、使用者は、図５に図示するように、磁着面に平行する方向にプリズムポール（Ｂ１）を回動させることにより、磁石（２ａ）をブルドーザー（Ａ１）に磁着させたままこれを摺動させ、ブルドーザー（Ａ１）に対するプリズムポール（Ｂ）の位置や角度を調節することもできる。このように、磁着式取付け具（１）は、ブルドーザー（Ａ１）に取り付けたプリズムポール（Ｂ１）の位置や角度を調節する場合、一旦これをブルドーザー（Ａ１）から取り外し、再度これをブルドーザー（Ａ１）に取り付け直すことなく、ブルドーザー（Ａ１）に取り付けたままで角度調節機構（４）を調節することにより、プリズムポール（Ｂ１）の位置や角度を調節することができるのである。
【００３５】
上記のようにしてプリズムポール（Ｂ１）の位置や角度を調節した後、基準点に設置された測量機でプリズムポール（Ｂ１）のプリズムを追跡し、該プリズムの位置を測定してブルドーザー（Ａ１）の可動排土板の高さや角度などを調節しながら、使用者は土砂を均していくのである。ここで、磁石（２ａ）としてネオジム磁石といった強い磁力を備える磁石を用いれば、ブルドーザー（Ａ１）がその稼働時に振動を生じたり衝撃を受けたりしても、万力を用いて計測具ないし計測具設置用部材を取り付ける場合とは異なり、使用者の意図することなく簡単にブルドーザー（Ａ１）から磁着式取付け具（１）が外れてしまうといったことも防止できる。
【００３６】
続いて、パワーショベル（Ａ２）のアームの位置を計測してこれを調節すべく、パワーショベル（Ａ２）のアームにプリズムポール（Ｂ１）及び水準器（Ｂ２）を取り付けるため、使用者がブルドーザー（Ａ１）に取り付けたプリズムポール（Ｂ１）を取り外して、これをパワーショベル（Ａ２）のアームに取り付ける場合について説明する。
【００３７】
使用者は、図６に図示するように、挿通孔（５ｂ）に挿通されている押し離し部材（５ａ）であるボルト部材を前進させて、ブルドーザー（Ａ１）に押し当てることにより、磁着部（２）とブルドーザー（Ａ１）との間に間隙を生じさせ、磁着式取付け具（１）をブルドーザー（Ａ１）から押し離してこれを取り外す。このように、磁着式取付け具（１）は、磁石（２ａ）に強い磁力を備える磁石を用いることにより、これがブルドーザー（Ａ１）から使用者の意図することなく簡単に外れにくくした場合であっても、使用者がブルドーザー（Ａ１）に取り付けたプリズムポール（Ｂ１）を取り外して、これをパワーショベル（Ａ２）に取り付けることも容易に行うことができる。
【００３８】
使用者は、図７に図示するように、プリズムポール（Ｂ１）の上部に水準器（Ｂ２）を設置し、図８に図示するように、パワーショベル（Ａ２）のアームに磁着させ、磁着式取付け具（１）をパワーショベル（Ａ２）に取り付ける。使用者は、前記のようにしてプリズムポール（Ｂ１）及び水準器（Ｂ２）の位置や角度を調節した後、プリズムポール（Ｂ１）及び水準器（Ｂ２）による計測に基づいて、パワーショベル（Ａ２）のアームの高さや角度などを調節する。特に、使用者は水準器（Ｂ２）を確認することによりパワーショベル（Ａ２）のアームを垂直に保つことができ、パワーショベル（Ａ２）のアームの高さや角度などを適切に調節することができる。
【符号の説明】
【００３９】
１  磁着式取付け具
２  磁着部
２ａ  磁石
２ｂ  磁石収納体
３  取付け目的物設置部
３ａ  挿入部
３ｂ  回動板
４  角度調節機構
４ａ  回動抑止機構
５  取り外し機構
５ａ  押し離し部材
５ｂ  挿通孔
Ａ  取付け対象物
Ａ１  ブルドーザー
Ａ２  パワーショベル
Ｂ  取付け目的物
Ｂ１  プリズムポール
Ｂ２  水準器
【図１】
0003232518.tif 000003
【図２】
0003232518.tif 000004
【図３】
0003232518.tif 000005
【図４】
0003232518.tif 000006
【図５】
0003232518.tif 000007
【図６】
0003232518.tif 000008
【図７】
0003232518.tif 000009
【図８】
0003232518.tif 000010